【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数のグループ識別(GID)の各GIDについて、そのGIDに関連する1つまたは複数のグループ内の位置に複数のデバイスを割り当てるステップと、
前記割り当てられた複数のデバイスのうちのアクティブデバイスへの送信のための、前記アクティブデバイスの各々について、前記複数のGIDの各々内のそのアクティブデバイスの位置を示すGID管理フレームを生成するステップと、
前記アクティブデバイスへの送信のための前記GID管理フレームを出力するステップとを含み、
前記割り当てるステップは、
デバイスの識別値をそのGIDの行インデックス値およびそのGIDの列インデックス値に基づいて判定するステップであって、前記行インデックス値および前記列インデックス値が、そのGIDに関連するグループ内の前記位置を定義する、ステップと、
前記識別値に関連する前記デバイスをその行および列に割り当てるステップとを含む方法。
【請求項２】
前記アクティブデバイスのセットをマルチユーザ(MU)多入力多出力(MIMO)送信に関してスケジュールするステップと、
前記アクティブデバイスの前記スケジュールされたセットにおける前記アクティブデバイスのIDに基づいて、前記アクティブデバイスの前記スケジュールされたセットへの前記MU-MIMO送信に関する前記複数のGIDのうちの1つを選択するステップと、
前記アクティブデバイスの前記セットへの送信のためのデータを、前記選択されたGIDを使用する前記MU-MIMO送信として出力するステップとをさらに含む、請求項1に記載の方法。
【請求項３】
変調およびコーディング方式(MCS)、チャネル相関、チャネル変動、ドップラープロファイル、公平性、またはトラフィック利用可能性のうちの少なくとも1つに基づいて、前記MU-MIMO送信に関する前記アクティブデバイスの前記セットにおいてスケジュールすべき前記アクティブデバイスを選択するステップをさらに含む、請求項2に記載の方法。
【請求項４】
前記選択するステップは、
前記複数のGIDの各々を有する各アクティブデバイスに関連する識別値に基づいてそのアクティブデバイスの前記位置を判定するステップと、
単一のデバイスがGID内のそれぞれに異なる位置に割り当てられることのない前記GIDを選択するステップとを含む、請求項2に記載の方法。
【請求項５】
前記スケジュールするステップは、
前記アクティブデバイスの候補セットを選択するステップであって、前記候補セットが、前記アクティブデバイスのうちの一次デバイスと前記アクティブデバイスのうちの1つまたは複数の他のデバイスとを含む、ステップと、
前記1つまたは複数の他のデバイスがデバイスの優先リストに含まれるかどうかを判定するステップと、
前記1つまたは複数の他のデバイスが前記デバイスの優先リストに含まれる場合に前記候補セットを前記MU-MIMO送信に関してスケジュールするか、あるいは前記1つまたは複数の他のデバイスが前記優先リストに含まれない場合に異なるGIDを選択することを試みるステップとを含む、請求項2に記載の方法。
【請求項６】
前記複数のデバイスのうちの別のデバイスに関連付けするステップと、
前記別のデバイスのみへの送信のための、前記複数のGIDの各々内の前記別のデバイスの位置を示す、追加のGID管理フレームを生成するステップと、
前記別のデバイスへの送信のための前記追加のGID管理フレームを出力するステップとをさらに含む、請求項1に記載の方法。
【請求項７】
前記割り当てるステップは、
同じGIDに関連するそれぞれに異なるグループにおける同じ位置に複数のデバイスを割り当てるステップを含む、または、
同じGIDに関連するそれぞれに異なるグループ内のそれぞれに異なる位置に同じデバイスを割り当てるのを回避するステップを含む、請求項1に記載の方法。
【請求項８】
前記複数のGIDへの前記複数のデバイスの前記割当てを、新たに関連付けられたデバイスへの送信のための追加のGID管理フレームを生成する際に使用されるように記憶するステップをさらに含む、請求項1に記載の方法。
【請求項９】
ワイヤレス通信のための装置であって、
複数のグループ識別(GID)の各GIDについて、そのGIDに関連する1つまたは複数のグループ内の位置に複数のデバイスを割り当てるための手段と、
前記割り当てられた複数のデバイスのうちのアクティブデバイスへの送信のための、前記アクティブデバイスの各々について、前記複数のGIDの各々内のそのアクティブデバイスの位置を示すGID管理フレームを生成するための手段と、
前記アクティブデバイスへの送信のための前記GID管理フレームを出力するための手段とを備え、
割り当てるための前記手段は、
デバイスの識別値をそのGIDの行インデックス値およびそのGIDの列インデックス値に基づいて判定するための手段であって、前記行インデックス値および前記列インデックス値が、そのGIDに関連するグループ内の前記位置を定義する手段と、
前記識別値に関連する前記デバイスをその行および列に割り当てるための手段とを備える装置。
【請求項１０】
前記アクティブデバイスのセットをマルチユーザ(MU)多入力多出力(MIMO)送信に関してスケジュールするための手段と、
前記アクティブデバイスの前記スケジュールされたセットにおける前記アクティブデバイスのIDに基づいて、前記アクティブデバイスの前記スケジュールされたセットへの前記MU-MIMO送信に関する前記複数のGIDのうちの1つを選択するための手段と、
前記アクティブデバイスの前記セットへの送信のためのデータを、前記選択されたGIDを使用する前記MU-MIMO送信として出力するための手段とをさらに備える、請求項9に記載の装置。
【請求項１１】
選択するための前記手段は、
前記複数のGIDの各々を有する各アクティブデバイスに関連する識別値に基づいてそのアクティブデバイスの位置を判定するための手段と、
単一のデバイスがGID内のそれぞれに異なる位置に割り当てられることのない前記GIDを選択するための手段とを含む、請求項10に記載の装置。
【請求項１２】
スケジュールするための前記手段は、
前記アクティブデバイスの候補セットを選択するための手段であって、前記候補セットが、前記アクティブデバイスのうちの一次デバイスと前記アクティブデバイスのうちの1つまたは複数の他のデバイスとを含む、手段と、
前記1つまたは複数の他のデバイスがデバイスの優先リストに含まれるかどうかを判定するための手段と、
前記1つまたは複数の他のデバイスが前記デバイスの優先リストに含まれる場合に前記候補セットを前記MU-MIMO送信に関してスケジュールするか、あるいは前記1つまたは複数の他のデバイスが前記優先リストに含まれない場合に異なるGIDを選択することを試みるための手段とを備える、請求項10に記載の装置。
【請求項１３】
前記複数のデバイスのうちの別のデバイスに関連付けするための手段と、
前記別のデバイスのみへの送信のための、前記複数のGIDの各々内の前記別のデバイスの位置を示す、追加のGID管理フレームを生成するための手段と、
前記別のデバイスへの送信のための前記追加のGID管理フレームを出力するための手段とを備える、請求項9に記載の装置。
【請求項１４】
前記複数のGIDへの前記複数のデバイスの前記割当てを、新たに関連付けられたデバイスへの送信のための追加のGID管理フレームを生成する際に使用されるように記憶するための手段をさらに備える、請求項9に記載の装置。
【請求項１５】
請求項1から8のいずれか一項に記載の方法のすべてのステップを行う命令を含む、コンピュータプログラム。